(57)【要約】【課題】ドロップアウトがあると同期信号を誤検出することがあり、それによってデータがずれてしまい正しく復号できないという課題ががある。【解決手段】欠落検出回路の出力により同期パターン検出回路の出力を止めるゲートを設けることによって、ドロップアウトによる同期信号の誤検出を防いだ。これにより、ドロップアウトがあっても同期信号を誤検出することがないのでデータのずれが発生せず、正しく復号することができるという利点がある。【選択図】図１
2005182937.tif 000002
【特許請求の範囲】
【請求項１】
決められたビット数のデータ毎に決められたビットパターンの同期信号が付加されたデジタル信号を再生する装置であって、デジタル信号の欠落を検出する欠落検出回路と、デジタル信号から同期信号を検出する同期パターン検出回路と、前記同期パターン検出回路からの出力によりタイミング合わせが行われ、同期信号の検出される前後の一定時間だけ前記同期パターン検出回路の出力をゲートするゲート信号を発生するゲート信号発生回路と、前記同期パターン検出回路によって同期パターンが検出できなかった場合に同期信号を内挿するタイミング発生回路と、前記同期パターン検出回路で同期信号が検出されない時に発生する同期非検出信号をカウントして、予め決められた設定値になると同期はずれを示す信号を発生する同期検出判定回路と、デジタル信号の欠落検出回路の出力により前記同期パターン検出回路の出力を止めるゲートから構成されたことを特徴とするデジタル信号再生装置。
【発明の詳細な説明】
【技術分野】
【０００１】
本発明は、決められたビット数のデータ毎に決められたビットパターンの同期信号が付加されたデジタル信号から同期信号を抽出して再生するデジタル信号再生装置に関するものである。
【背景技術】
【０００２】
近年、光ディスク等のようにデジタル記録された記録媒体が多く見られるようになってきた。この記録媒体から再生されるべきデータは記録媒体の傷等により発生するデータ誤りを訂正するための誤り訂正符号と共に一定のフレーム周期毎に同期をとるための同期信号が付加された形で記録されている。これらの再生装置ではデジタル記録された信号からＰＬＬを用いてビットクロックを抽出し、そのビットクロックを用いてデータを打ち抜いた後、決められた同期パターンを検出して、同期信号を基準に信号を再生している。しかし、メディアには傷などの原因でドロップアウトと呼ばれる信号の欠落がある場合があり、その場合でもビットクロックや同期信号を内挿してデータの位置がずれないようにして、読めなかったデータは誤り訂正でデータを復帰させることが必要である。そのために、記録媒体から読み取られたデジタル信号がＰＬＬ回路でビットクロックを抽出し、同期パターン検出回路で同期信号を検出し、タイミング発生回路で次の同期信号の位置をカウントし、ゲート信号発生回路であるべき同期信号の前後でゲートを開いて同期信号を探し、ゲート外で同期信号を誤検出するのを防いでいる。また、同期信号が何フレームか連続して非検出の場合は、同期はずれと見なしてＳＲ−ＦＦをセットしてゲートを全開するが、ドロップアウトがあった場合は、サイクルスリップを起こしてゲートを外れたところで同期信号が発生することがあるので、ドロップアウト時はゲートを全開にする同期非検出の数を小さくすることによってデータが全部誤りとなるフレーム数を減らしている（例えば、特許文献１参照。）。
【０００３】
しかし、ゲートが全開になっているとドロップアウト時はでたらめな信号が入ってくるので、偶然同期パターンと一致すると同期信号と誤判定して同期信号の数が増えてしまうことがあり、そのような場合はどのような強力な誤り訂正符号が付加してあっても正しく複合することは不可能であった。
【特許文献１】特開昭６０−２４５３３３号公報
【発明の開示】
【発明が解決しようとする課題】
【０００４】
解決しようとする問題点は、ドロップアウトがあると同期信号を誤検出することがあり、それによってデータがずれてしまい正しく復号できないことがある点である。
【課題を解決するための手段】
【０００５】
本発明は、欠落検出回路の出力により同期パターン検出回路の出力を止めるゲートを設けることによって、ドロップアウトによる同期信号の誤検出を防いだことを最も主要な特徴とする。
【発明の効果】
【０００６】
本発明のデジタル信号発生装置は、ドロップアウトがあっても同期信号を誤検出することがないのでデータのずれが発生せず、正しく復号することができるという利点がある。
【発明を実施するための最良の形態】
【０００７】
ドロップアウトがあっても同期信号を誤検出することがないようにするという目的を、欠落検出回路の出力により同期パターン検出回路の出力を止めるゲートを設けることによって実現した。
【０００８】
図１は、本発明のデジタル信号発生装置の１実施例のブロック図であって、３はデジタル信号、４はＰＬＬ回路、５は同期パターン検出回路、６はＡＮＤゲート、７は同期検出判定回路、９はカウンタ、１０はＲＳ−ＦＦ、１１はＯＲゲート、１２はゲート信号発生回路、１３はタイミング発生回路、１７は欠落検出回路、１８はインバータである。
【０００９】
図１において、まず記録媒体から読み取られたデジタル信号３はＰＬＬ回路４と、予め決められた同期信号の同期パターンを検出する同期パターン検出回路５へ入力され同期パターン検出信号５ａを出力する。ＰＬＬ回路４はビットクロック４ａを出力する。同期パターン検出回路５の出力である同期パターン検出信号５ａはＡＮＤゲート６を通り、同期検出判定回路７へ入力される。
【００１０】
タイミング発生回路１３は同期パターン検出信号５ａをＡＮＤゲート６でゲートした信号で同期信号位置にプリセットされ、次のフレームの同期信号が検出されるべき時間の前後にゲート信号発生回路１２にゲート開閉信号を送り、ゲート信号発生回路１２は、ＯＲゲート１１を通して、一定時間だけＡＮＤゲート６を開くためのゲート信号１２ａを出力する。タイミング発生回路１３は、それ以外にビットクロック４ａをカウントしてフレーム内のビット数毎に内挿同期信号１３ａを発生し、ゲート閉後に同期信号１３ｂを出力する。それによって同期パターンが見つかればその一定ビット数後に、なければ前の同期信号に対してフレームビット数後に内挿で同期信号が発生する。
【００１１】
同期検出判定回路７はタイミング発生回路１３からの内挿同期信号１３ａと同期検出信号７ａをＡＮＤゲート６に通したＡＮＤゲート出力６ａが一致した時に同期検出信号７ａを、また内挿同期信号１３ａのタイミングでＡＮＤゲート出力６ａが検出されなかった時には同期非検出信号７ｂを出力し、同期非検出信号７ｂはカウンタ９へ入力される。カウンタ９は決められたカウント値までカウントするとキャリー信号９ａを出力し、ＲＳ−ＦＦ（リセットセットフリップフロップ）１０をセットする。同期検出信号７ａはＲＳ−ＦＦ１０をリセットする。また、ＲＳ−ＦＦ１０の出力１０ａはＯＲゲート１１へ入力される。それにより決められたカウント値のフレーム数が同期非検出だとゲートが全開になり、同期パターンが正規の周期で検出されるとゲートはゲート信号発生回路１２で生成される通常の状態に戻る。
【００１２】
また、欠落検出回路１７はデジタル信号３を入力としてその周期が最長周期よりも長い場合に検出するように構成したり、記録媒体から得られた直後のデジタル化されていない信号をエンベロープ検波して、その振幅変化によって欠落部分を検出するように構成され、その出力である欠落検出信号１７ａはインバータ１８で反転され、ＡＮＤゲート６に入力され、欠落が検出されている間は同期パターン検出信号５ａを通さないようにしている。
【００１３】
以上のように構成されたデジタル信号発生装置の動作を、本発明を用いなかった場合の動作説明図である第２図、本発明を用いた場合の動作説明図である第３図を用いて説明する。
【００１４】
図２は本発明を用いなかった場合の動作説明図であり、デジタル信号３の中の２１は同期信号、２２はデータ信号、２３はドロップアウト部であり、ドロップアウト時はでたらめな信号が入ってくるので、偶然同期パターンと一致すると同期信号と誤判定して同期パターン検出信号５ａに誤検出同期パターン信号２４が発生する。ドロップアウト部２３では通常同期が検出できず、同期非検出信号７ｂが発生し、カウンタ９はここでは３フレーム同期非検出をカウントするとキャリー信号９ａを発するようになっているので、３フレーム目でＲＳ−ＦＦ１０の出力１０ａがＨになり、ドロップアウトが終了して２つの同期パターン検出信号が正規の周期で発生すると同期検出信号７ａが発生してＲＳ−ＦＦ１０の出力１０ａはＬになる。この間、ＯＲゲート出力１１ａはＨになっているので、誤検出同期パターン信号２４はＡＮＤゲート６を素通りする。
【００１５】
誤検出同期パターン信号２４と、その次の同期パターン検出信号はどちらもタイミング発生回路１３を同期信号位置にプリセットするので一定ビット後に同期信号が発生するため、同期信号の数が１つ多くなり、そのためデータが正しく復号できなくなる。
【００１６】
図３は本発明を用いた場合の動作説明図であり、誤検出同期パターン信号２４は欠落検出信号１７ａのインバータ１８による反転信号でＡＮＤゲート６によってゲートされ、ＡＮＤゲート出力６ａには伝達しない。従って誤検出同期パターン信号２４によってタイミング発生回路１３は同期信号位置にプリセットされないので、ＡＮＤゲート出力６ａが発生した場合はその一定ビット後に、ない場合は前の同期信号に対してフレームビット数後に内挿で同期信号が発生するため、データは正しいタイミングで復号され、ドロップアウト部２３は誤り訂正によって訂正され、デジタル信号３は正しく復号される。
【００１７】
このように、本発明のデジタル信号再生装置ではドロップアウトがあっても同期信号を誤検出することがないので、データがずれることもなく、正しく復号することができるという効果がある。
【産業上の利用可能性】
【００１８】
本発明は、ドロップアウトがあっても同期信号を誤検出することがないので、データがずれることもなく、正しく復号することができ、決められたビット数のデータ毎に決められたビットパターンの同期信号が付加されたデジタル信号から同期信号を抽出して再生するデジタル信号再生装置に適用できる。
【図面の簡単な説明】
【００１９】
【図１】本発明の１実施例のブロック図
【図２】本発明を用いなかった場合の動作説明図
【図３】本発明を用いた場合の動作説明図
【符号の説明】
【００２０】
３    デジタル信号
４    ＰＬＬ回路
５    同期パターン検出回路
６    ＡＮＤゲート
７    同期検出判定回路
９    カウンタ
１０    ＲＳ−ＦＦ
１１    ＯＲゲート
１２    ゲート信号発生回路
１３    タイミング発生回路
１７    欠落検出回路
１８    インバータ
【図１】
2005182937.tif 000003
【図２】
2005182937.tif 000004
【図３】
2005182937.tif 000005